(57)【要約】      （修正有）【課題】背マットに背中が正面から多少捩った状態で凭れても、背マットが背中の線にフレキシブルに対応して密着させることができる背マットの支持装置を提供する。【解決手段】背マットを後方から背フレーム６で支持した椅子に適用される。この背マット支持装置１０は、背マット３に平面視逆コ字状の第１支持材１１を固設するとともに、背フレーム６に第１支持材１１に対向して平面視コ字状の第２支持材１２を固設している。そして、第１支持材１１と第２支持材１２とを弾性部材を挟んで水平方向の連結ピン１３で連結し、連結ピン１３が嵌合する第１支持材１１に前後方向に長い長孔を設けている。これにより、背マットを支持フレームに対して前後および左右に傾動できる。【選択図】図４
0003118662.tif 000002
【実用新案登録請求の範囲】
【請求項１】
背マットを後方から背フレームで支持した椅子の背マット支持装置において、該背マットに平面視逆コ字状の第１支持材を固設するとともに背フレームに該第１支持材と対向する平面視コ字状の第２支持材を固設し、該第１支持材と第２支持材とを弾性部材を挟んで水平方向の連結ピンで連結し、該連結ピンが嵌合する第１支持材または第２支持材のピン孔のいずれか一方を前後方向に長い長孔として、背マットを支持フレームに対して前後および左右に傾動可能としたことを特徴とする椅子の背マット支持装置。
【請求項２】
背マットの背面にクロス状の背マットフレームを固設し、該背マットフレームの交差部に前記第１支持材を固設したことを特徴とする請求項１記載の椅子の背マット支持装置。
【請求項３】
前記椅子は、背マットに凭れたとき背フレームの後傾に伴って座フレームが移動する揺動機構を備えたものであることを特徴とする請求項１または請求項２記載の椅子の背マット支持装置。
【考案の詳細な説明】
【技術分野】
【０００１】
本考案は、背中との密着を向上させた椅子の背マット支持装置に関するものである。
【背景技術】
【０００２】
事務など作業用の椅子の背マットは、一般に身体の線に添わせた一枚の板で形成されているが、人によっては身体の線に合わず、また、作業姿勢によっては、背中の全体が密着せず、座り心地が悪く疲れ易いといった問題がある。そこで、出願人は先に背マットへ凭れたときに背マットが後方へ撓み身体に密着するようにした椅子を開発した（例えば、特許文献１）。
この椅子は、背マットを水平方向に複数に分断し、これを背面から下方に至るに従って幅広となる板バネで一体状に連結し、背マットに凭れたとき分断部分から後方へ撓むようにしたものである。
【０００３】
【特許文献１】実開昭６２−１８５５５８号公報
【考案の開示】
【考案が解決しようとする課題】
【０００４】
上記の特許文献１の背マットの支持装置は、背マットが体重の掛かり具合に応じて板バネが後方へ撓み、分断箇所から後方へ屈曲するので、背マットが背中全体に密着しやすく座り心地がよい。
しかしながら、背マットに対して背中の面が平行である場合は、非常に良好であるが、常に同じ姿勢で着座しているとは限らず、疲れた場合などでは、身体を多少捩った状態で背マットへ凭れることも少なくない。このような場合は、背マットに背中全体が密着せず、座り心地が良くないという難点がある。
【０００５】
そこで、本考案は、背マットに対して背中が正面から多少捩った状態で凭れても、背マットが背中の線にフレキシブルに対応して密着させることができる背マットの支持装置を提供することを目的としている。
【課題を解決するための手段】
【０００６】
本考案の背マット支持装置は、上記の目的を達成するため次の手段を採った。すなわち、背マットを後方から背フレームで支持した椅子の背マット支持装置において、該背マットに平面視逆コ字状の第１支持材を固設するとともに背フレームに該第１支持材と対向する平面視コ字状の第２支持材を固設し、該第１支持材と第２支持材とを弾性部材を挟んで水平方向の連結ピンで連結し、該連結ピンが嵌合する第１支持材または第２支持材のピン孔のいずれか一方を前後方向に長い長孔として、背マットを支持フレームに対して前後および左右に傾動可能としたことを特徴としている。
【０００７】
第１支持材および第２支持材はそれぞれ背マットおよび背フレームに固設されるが、取付部材などを介して間接的に固設してもよい。また、背マットや背フレームと一体に形成してもよい。なお、材質については、特に問わない。
第１支持材と第２支持材は、椅子を正面からみて平面視左右方向の寸法を異なるものとして、連結ピンで連結する。そして、連結ピンが嵌合する長孔は、対向させたとき内側または外側に位置する第１支持材または第２支持材に設ける。なお、平面視コ字状および平面視逆コ字状は、椅子の正面を左方へ向けて上面から見たときの状態で称している。
【０００８】
第１支持材は背マットに直接取り付けてもよいが、請求項２に記載のように、背マットの背面にクロス状の背マットフレームを固設し、該背マットフレームの交差部に取り付けると良い。
また、第２支持材を取り付ける背フレームは、脚支柱上端の支持フレームに固設またはピン連結したものが一般的であるが、請求項３に記載のように、背マットに凭れたとき背フレームの後傾に伴って座フレームが移動する揺動機構を備えたものでもよい。
弾性部材は背マットへ凭れたときのクッションと背を起こしたときに正常位置へ復帰できるものであればよい。
【考案の効果】
【０００９】
本考案の背マット支持装置は、上記のように、背マットに平面視逆コ字状の第１支持材を固設するとともに背フレームに平面視コ字状の第２支持材を固設し、第１支持材と第２支持材とを弾性部材を挟んで水平方向の連結ピンで連結し、連結ピンが嵌合する第１支持材または第２支持材のピン孔のいずれか一方を前後方向に長い長孔としたので、背マットに対して背中が正面から多少捩った状態で凭れても、背マットが背中の線にフレキシブルに対応して密着させることができ、座り心地の良いものとなり、長時間座っても疲れにくいものとなった。
【００１０】
また、背マットの背面にクロス状の背マットフレームを固設し、背マットフレームの交差部に第１支持材を固設すれば（請求項２）、背マットを軽量で強固なものとすることができる。
さらに、本装置を背マットに凭れたとき背フレームの後傾に伴って座フレームが移動する揺動機構を備えた椅子に設け（請求項３）れば、背マットの後傾した各状態においても常に背中が背マットに密着し、十分にくつろぐことができる椅子とすることができる。
【考案を実施するための最良の形態】
【００１１】
本考案の背マット支持装置の実施の形態を図１〜図６に基づいて説明する。
図６は、椅子の全体を示す斜視図で、１は脚支柱、２はシート、３は背マットである。
背マット３は、その背面にクロス状の背マットフレーム４が固設されており、その交差部４Ａに背フレーム６が取付られている。なお、５は、背マット３の背面の左右方向に設けられた支持部材で、中央部は背マットフレーム４の交差部４Ａに連結されている。
【００１２】
図３は、この椅子の平面図と側面図であり、背マット支持装置１０は、背マットフレーム４と背フレーム６との連結部に設けられている。
図１は、図３における背マット支持装置１０の拡大した平面図と側面図であり、この図と部品展開図である図２に基づいて背マット支持装置を説明する。
先ず、背マットフレーム４の交差部４Ａの背部に平面視逆コ字状の第１支持材１１が取付ネジ１５で取り付けられている。一方、背フレーム６の取付部６Ａには第１支持材１１と対向する平面視コ字状の第２支持材１２が取付ネジ１６で取り付けられている。そして、第１支持材１１と第２支持材１２は、間に弾性部材１４を挟んで、連結ピン１３によって連結されている。なお、弾性部材１４は、ここでは、硬めのゴムを使用している。
【００１３】
第１支持材１１には、連結ピン１３が貫通する長孔１１ａが設けられ、第２支持材１２には、連結ピン１３が嵌合するピン孔１２ａが設けられ、連結ピン１３が取り付けられたとき、連結ピン１３は第２支持材１２と一体となり、第１支持材１１は、連結ピン１３によって回動可能で、かつ、長孔１１ａによって左右方向へ傾動可能である。
また、第２支持材１２の幅寸法Ｂ２は、第１支持材１１の幅寸法Ｂ１より大きくしており、第１支持材１１が左右方向に傾動したとき当接しないようにしている。
【００１４】
本考案の背マット支持装置１０は、上記のように構成されているので、着座者が背マット３に凭れたとき、連結ピン１３によって前後方向に回動し、かつ、第１支持材１１の長孔１１ａによって左右方向にも傾動できる。したがって、背マット３に対して背中が正面から多少捩った状態で凭れても、背マット３が背中の線にフレキシブルに対応して密着させることができ、格段に座り心地のよいものとなった。
図３は、背マット３に凭れたときの背マット３の動きを示す一例で、図４は、背マット支持装置１０の拡大図である。この例では、最大左右方向に６度、前後方向には８度傾動させたときの状態を示している。
【００１５】
なお、この実施例の椅子は、背マット３の後傾に伴って、シートが移動する揺動機構を備えている。この機構は、図５に示すように、脚支柱１に取り付けられる支持フレーム２１と、背フレーム６と、シート２が取り付けられる座フレーム２２と、これらを連結する前リンク２４と後リンク２５とから構成されている。
背フレーム６は、水平部６Ｂを備えた略Ｌ字状であり、前端は前リンク２４に連結ピン２４Ｂで連結され、水平部６Ｂの後部は、後リンク２５に連結ピン２５Ｄで連結されている。
そして、前リンク２４は連結ピン２４Ａで支持フレーム２１に連結され、後リンク２５は連結ピン２５Ａで支持フレーム２１に連結されている。また、座フレーム２２は、前端部を連結ピン２２Ａで支持フレーム２１の前部に前後方向へ移動可能に連結し、後端部を後リンク２５に連結ピン２５Ｂで連結している。なお、２６は、捩りコイルバネで、背を起こしたとき、背マット３を通常状態へ復帰させるためのものである。
【００１６】
このように構成されているので、体重を意図的に背マットへ預けると、背フレーム２が後傾し、図５において一点鎖線で示すように、後リンク２５が連結ピン２５Ａを支点として、時計回りに回動するとともに、前リンク２４が反時計回りに回動する。これにより、背フレーム６は、後傾するとともにシート後部が沈み込みつつ前方へ移動し、座フレーム２２も前方へ移動させる。
【図面の簡単な説明】
【００１７】
【図１】本考案の背マット支持装置の実施の形態を示すもので、（ａ）は平面図、（ｂ）は側面図である。
【図２】同  背マット支持装置の部品の展開斜視図である。
【図３】同  背マット支持装置の作用を示すもので、（ａ）は平面図、（ｂ）は側面図である。
【図４】同  （ａ）は、図３（ａ）における背マット支持装置１０の詳細図、（ｂ）は、図３（ｂ）における背マット支持装置１０の詳細図である。
【図５】同  揺動機構の全体を示す側面図である。
【図６】同  背マット支持装置を備えた椅子の全体を示す斜視図である。
【符号の説明】
【００１８】
１  脚支柱
２  シート
３  背マット
４  背マットフレーム
４Ａ  交差部
５  支持部材
６  背フレーム
６Ａ  取付部
６Ｂ  水平部
１０  背マット支持装置
１１  第１支持材
１１ａ  長孔
１２  第２支持材
１２ａ  ピン孔
１３  連結ピン
１４  弾性部材
１５  取付ネジ
１６  取付ネジ
２１  支持フレーム
２２  座フレーム
２２Ａ  連結ピン
２４  前リンク
２４Ａ  連結ピン
２４Ｂ  連結ピン
２５  後リンク
２５Ａ  連結ピン
２５Ｂ  連結ピン
２５Ｄ  連結ピン
【図１】
0003118662.tif 000003
【図２】
0003118662.tif 000004
【図３】
0003118662.tif 000005
【図４】
0003118662.tif 000006
【図５】
0003118662.tif 000007
【図６】
0003118662.tif 000008